(57)【要約】【課題】ミラー支持部の表面に形成される表面膜の膜応力によるミラーの平面度の悪化を抑えること。【解決手段】本発明の光走査装置は、レーザ光を反射するミラーが形成されたミラー支持部と、所定の軸に垂直な方向に延在する梁を有し、前記ミラー支持部に接続された駆動梁と、前記梁の一方の面上に形成された駆動源と、前記ミラー支持部の裏面において前記ミラーと対向する位置に形成されたリブと、前記ミラーを除く領域の前記ミラー支持部の表面において前記ミラー支持部が露出する露出部と、を有しており、前記駆動源の駆動により前記所定の軸を回転する方向に前記ミラー支持部を揺動駆動する。【選択図】図６
2019159134.tif 000002
【特許請求の範囲】
【請求項１】
レーザ光を反射するミラーが形成されたミラー支持部と、
所定の軸に垂直な方向に延在する梁を有し、前記ミラー支持部に接続された駆動梁と、
前記梁の一方の面上に形成された駆動源と、
前記ミラー支持部の裏面において前記ミラーと対向する位置に形成されたリブと、
前記ミラーを除く領域の前記ミラー支持部の表面において前記ミラー支持部が露出する露出部と、を有しており、
前記駆動源の駆動により前記所定の軸を回転する方向に前記ミラー支持部を揺動駆動する
光走査装置。
【請求項２】
前記リブは、第１の方向に延びる複数の第１リブと、前記第１の方向と直交する第２の方向に延びる複数の第２リブとが交差してできる井桁形状である
請求項１に記載の光走査装置。
【請求項３】
前記第１リブを延長してできる第１仮想直線及び前記第２リブを延長してできる第２仮想直線と前記ミラーの外周とが交点で交差する時、隣り合う前記交点で決定される前記ミラーの外周の長さがほぼ等しい
請求項２に記載の光走査装置。
【請求項４】
前記リブは、前記ミラーの外周に沿った環状の第３リブをさらに有する
請求項２または３に記載の光走査装置。
【請求項５】
前記第１リブと前記第２リブは、それぞれ前記第３リブと交点を有する
請求項４に記載の光走査装置。
【請求項６】
前記リブは、第１の方向に延びる第１リブと、前記第１の方向と直交する第２の方向に延びる第２リブと、前記ミラーの外周に沿った環状の第３リブを有し、
前記第１リブと前記第２リブは、それぞれ前記第３リブと交点を有する
請求項１に記載の光走査装置。
【請求項７】
前記駆動梁は、前記所定の軸に垂直な方向に延在する複数の前記梁を有し、隣接する前記梁の端部同士が折り返し部で連結されて全体としてジグザグ状の蛇腹構造を有する
請求項１乃至６のいずれか１項に記載の光走査装置。
【請求項８】
前記ミラーとなる膜は銀含有膜である
請求項１乃至７のいずれか１項に記載の光走査装置。
【請求項９】
前記露出部は、前記ミラーの領域を形成する膜の少なくともひとつからなる表面膜が、前記ミラー支持部の表面から除去されて露出される
請求項１に記載の光走査装置。
【請求項１０】
前記表面膜は、シリコン酸化膜、酸化アルミニウム膜、銀含有膜、増反射膜のいずれかひとつ、または組み合わせによって形成される
請求項９に記載の光走査装置。
【請求項１１】
前記表面膜は、前記ミラー支持部の表面に形成されたシリコン酸化膜と、前記シリコン酸化膜の上層に形成された酸化アルミニウム膜と、前記酸化アルミニウム膜の上層に形成された前記銀含有膜と、前記銀含有膜の上層に形成された増反射膜とを含む
請求項１０に記載の光走査装置。
【請求項１２】
前記駆動源が設けられた領域の前記梁において、前記梁の表面に形成されたシリコン酸化膜と、前記シリコン酸化膜の上層に形成された前記駆動源となる圧電素子と、前記圧電素子の上層に形成された酸化アルミニウム膜と、前記酸化アルミニウム膜の上層に形成された増反射膜とを含む第２の表面膜が形成されている
請求項１１に記載の光走査装置。
【請求項１３】
前記駆動源が設けられた領域を除く前記梁において、前記梁の表面に形成されたシリコン酸化膜と、前記シリコン酸化膜の上層に形成された酸化アルミニウム膜と、前記酸化アルミニウム膜の上層に形成された増反射膜とを含む第３の表面膜が形成されている
請求項１２に記載の光走査装置。
【請求項１４】
前記駆動源による非共振駆動により、前記ミラー支持部を前記所定の軸を回転する方向に揺動駆動する
請求項１乃至１３のいずれか１項に記載の光走査装置。
【発明の詳細な説明】
【技術分野】
【０００１】
本発明は、光走査装置に関する。
【背景技術】
【０００２】
従来から圧電薄膜の上面に上部電極、下面に下部電極を形成した圧電素子を駆動源とするアクチュエータを用いて、入射光を反射させるミラーを回転軸回りに回転させ、反射光を走査する光走査装置が知られている。このアクチュエータでは、圧電薄膜に電圧を印加するために、上部電極に接続される上部配線と、下部電極に接続される下部配線とが形成されている（例えば特許文献１及び特許文献２参照）。
【０００３】
上記のアクチュエータは、ミラーを回転軸回りに回転させるためのＭＥＭＳ構造体を有しており、ＭＥＭＳ構造体は厚さ方向に大きく変形する。ＭＥＭＳ構造体としては、表面の面内方向の剛性を確保しつつ、厚さ方向の剛性を下げるために蛇腹構造とすることができる。また、ＭＥＭＳ構造体としてトーションバーを有する構成とし、トーションバーの捻れによってミラーを回転軸周りに回転させることができる。
【０００４】
トーションバーを有するアクチュエータを用いた光走査装置において、トーションバーに捻れ変形が生じるように共振駆動を行う際に、トーションバーの捻れ変形による応力がミラーにかかり、ミラーにも変形が発生することが知られている。特許文献３には、上記のミラーの変形を抑制するためにミラーの裏面にリブを設けることが提案されている。リブは、トーションバーの捻れによるミラーの変形を抑制するため、トーションバーとミラーの接続部の剛性が高くなるように配置される。
【先行技術文献】
【特許文献】
【０００５】
【特許文献１】特開２０１６−１３２５号公報
【特許文献２】特許５８７６３２９号
【特許文献３】特開２０１６−１７０３７６号公報
【発明の概要】
【発明が解決しようとする課題】
【０００６】
しかしながら、トーションバーを用いない非共振駆動の光走査装置の場合では、梁の捻れ動作で生じる応力によるミラーの変形よりも、ミラーを支持するミラー支持部の表面に形成された表面膜の膜応力による反りによってミラーが変形することの方が大きな問題となる。その場合、ミラーの全体が反る応力を受け、ミラーのリブが設けられていない部分は大きく変形し、ミラーの平面度が低下してしまう。
【０００７】
ミラーの支持部の表面に形成された表面膜の膜応力による反りを抑制してミラーの平面度を高めるために、ミラーの支持部全体を厚くして剛性を高めることが考えられる。しかしその場合、ミラーの支持部の質量が増加するため共振点が下がり、不要な共振が起きやすくなる問題が生じる。
【０００８】
本発明は、上記の点に鑑みてなされたもので、ミラー支持部の表面に形成される表面膜の膜応力によるミラーの平面度の悪化を抑えることを目的とする。
【課題を解決するための手段】
【０００９】
本発明の一態様に係る光走査装置は、レーザ光を反射するミラーが形成されたミラー支持部（１２０）と、所定の軸に垂直な方向に延在する梁を有し、前記ミラー支持部に接続された駆動梁（１３０Ａ、１３０Ｂ）と、前記梁の一方の面上に形成された駆動源（１３１Ａ、１３１Ｂ）と、前記ミラー支持部の裏面において前記ミラーと対向する位置に形成されたリブ（１１２）と、前記ミラーを除く領域の前記ミラー支持部の表面において前記ミラー支持部が露出する露出部（１２０Ｄ）と、を有しており、前記駆動源の駆動により前記所定の軸を回転する方向に前記ミラー支持部を揺動駆動する。
【００１０】
なお、上記括弧内の参照符号は、理解を容易にするために付したものであり、一例にすぎず、図示の態様に限定されるものではない。
【発明の効果】
【００１１】
開示の技術によれば、ミラー支持部の表面に形成される表面膜の膜応力によるミラーの平面度の悪化を抑えることができる。
【図面の簡単な説明】
【００１２】
【図１】実施の形態に係る光走査装置の光走査部の一例を示す上面側の斜視図（Ａ）と下面側の斜視図（Ｂ）である。
【図２】実施の形態に係る光走査装置の光走査部の一例を示す上面側の平面図である。
【図３】実施の形態に係る光走査装置の光走査部の一例を示す下面側の平面図である。
【図４】実施の形態に係る光走査装置の光走査部の一例の要部を拡大した下面側の斜視図である。
【図５】実施の形態に係る光走査装置の光走査部の一例の要部を拡大した上面側の平面図である。
【図６】実施の形態に係る光走査装置の光走査部の断面図である。
【図７】変形例に係る光走査装置の光走査部の要部を拡大した下面側の斜視図（Ａ）と上面側の平面図（Ｂ）である。
【図８】実施例１に係る光走査装置の駆動時のミラーの変形を説明する図である。
【図９】実施例２に係る光走査装置の駆動時のミラーの変形を説明する図である。
【発明を実施するための形態】
【００１３】
以下、図面を参照して発明を実施するための形態について説明する。各図面において、同一構成部分には同一符号を付し、重複した説明を省略する場合がある。
【００１４】
＜実施の形態＞
図１（Ａ）は、実施の形態に係る光走査装置の光走査部の一例を示す上面側の斜視図である。図１（Ｂ）は、実施の形態に係る光走査装置の光走査部の一例を示す下面側の斜視図である。図２は、実施の形態に係る光走査装置の光走査部の一例を示す上面側の平面図である。図３は、実施の形態に係る光走査装置の光走査部の一例を示す下面側の平面図である。本実施の形態に係る光走査部１００は、セラミックパッケージとパッケージカバー等のパッケージ部材に収容して用いることができる。
【００１５】
光走査部１００は、ミラー１１０を揺動させて光源から照射されるレーザ入射光を走査する部分である。光走査部１００は、例えば圧電素子である駆動源によりミラー１１０を駆動させるＭＥＭＳミラー等である。光走査部１００に設けられたミラー１１０にレーザ入射光を入射して、ミラー１１０から出射される光を２次元に走査する。
【００１６】
図１（Ａ）、図１（Ｂ）及び図２に示されるように、光走査部１００は、ミラー１１０と、ミラー支持部１２０と、連結梁１２１Ａ、１２１Ｂと、水平駆動梁１３０Ａ、１３０Ｂと、可動枠１６０と、垂直駆動梁１７０Ａ、１７０Ｂと、固定枠１８０とを有する。ミラー支持部１２０の上面にミラー１１０が設けられている。
【００１７】
ミラー１１０を支持するミラー支持部１２０の両側に、ミラー支持部１２０に接続される一対の水平駆動梁１３０Ａ、１３０Ｂが配置されている。ミラー支持部１２０と水平駆動梁１３０Ａ、１３０Ｂは連結梁１２１Ａ、１２１Ｂにより接続されている。また、水平駆動梁１３０Ａ、１３０Ｂ、連結梁１２１Ａ、１２１Ｂ、ミラー支持部１２０及びミラー１１０は、可動枠１６０によって外側から支持されている。水平駆動梁１３０Ａは、水平回転軸ＡＸＨと直交する垂直回転軸ＡＸＶの方向に延在する複数の矩形状の水平梁を有し、隣接する水平梁の端部同士が折り返し部１３１Ｘ２、１３１Ｘ３、１３１Ｘ４により連結され、全体としてジグザグ状の蛇腹構造を有する。水平駆動梁１３０Ａの一方が可動枠１６０の内周側に、他方が折り返し部１３１Ｘ１及び連結梁１２１Ａを介してミラー支持部１２０に接続される。また、水平駆動梁１３０Ｂは、水平回転軸ＡＸＨと直交する垂直回転軸ＡＸＶの方向に延在する複数の矩形状の水平梁を有し、隣接する水平梁の端部同士が折り返し部１３１Ｙ２、１３１Ｙ３、１３１Ｙ４により連結され、全体としてジグザグ状の蛇腹構造を有する。水平駆動梁１３０Ｂの一方が可動枠１６０の内周側に、他方が折り返し部１３１Ｙ１及び連結梁１２１Ｂを介してミラー支持部１２０に接続される。
【００１８】
また、可動枠１６０の両側に、可動枠１６０に接続される一対の垂直駆動梁１７０Ａ、１７０Ｂが配置されている。垂直駆動梁１７０Ａは、水平回転軸ＡＸＨ方向に延在する複数の矩形状の垂直梁を有し、隣接する垂直梁の端部同士が折り返し部１７１Ｘにより連結され、全体としてジグザグ状の蛇腹構造を有する。垂直駆動梁１７０Ａの一方が固定枠１８０の内周側に、他方が可動枠１６０の外周側に接続される。また、垂直駆動梁１７０Ｂは、水平回転軸ＡＸＨ方向に延在する複数の矩形状の垂直梁を有し、隣接する垂直梁の端部同士が折り返し部１７１Ｙにより連結され、全体としてジグザグ状の蛇腹構造を有する。垂直駆動梁１７０Ｂの一方が固定枠１８０の内周側に、他方が可動枠１６０の外周側に接続される。
【００１９】
水平駆動梁１３０Ａ、１３０Ｂは、それぞれ圧電素子である水平駆動源１３１Ａ、１３１Ｂを有する。また、垂直駆動梁１７０Ａ、１７０Ｂは、それぞれ圧電素子である垂直駆動源１７１Ａ、１７１Ｂを有する。水平駆動梁１３０Ａ、１３０Ｂ、垂直駆動梁１７０Ａ、１７０Ｂは、ミラー１１０を上下又は左右に揺動駆動してレーザ光を走査するアクチュエータとして機能する。
【００２０】
水平駆動梁１３０Ａ、１３０Ｂの上面には、それぞれ曲線部を含まない矩形単位である水平梁ごとに水平駆動源１３１Ａ、１３１Ｂが形成されている。水平駆動源１３１Ａは、水平駆動梁１３０Ａの上面に形成された圧電素子であり、圧電薄膜と、圧電薄膜の上に形成された上部電極と、圧電薄膜の下面に形成された下部電極とを含む。水平駆動源１３１Ｂは、水平駆動梁１３０Ｂの上面に形成された圧電素子であり、圧電薄膜と、圧電薄膜の上に形成された上部電極と、圧電薄膜の下面に形成された下部電極とを含む。
【００２１】
水平駆動梁１３０Ａ、１３０Ｂは、水平梁ごとに隣接している水平駆動源１３１Ａ、１３１Ｂ同士で、駆動波形の中央値を基準に上下反転した波形の駆動電圧を印加することにより、隣接する水平梁を上方向に反らせ、各水平梁の上下動の蓄積をミラー支持部１２０に伝達する。水平駆動梁１３０Ａ、１３０Ｂの動作によりミラー１１０及びミラー支持部１２０が水平回転軸ＡＸＨを回転する方向に揺動駆動され、この揺動する方向を水平方向と呼び、ミラー１１０の光反射面の中心を通る上記の揺動軸を水平回転軸ＡＸＨという。例えば水平駆動梁１３０Ａ、１３０Ｂによる水平駆動には、非共振振動を用いることができる。
【００２２】
例えば、水平駆動源１３１Ａは、水平駆動梁１３０Ａを構成する１番目から４番目の各水平梁の上にそれぞれ形成された４つの水平駆動源１３１Ａ１、１３１Ａ２、１３１Ａ３、１３１Ａ４を含む。また、水平駆動源１３１Ｂは、水平駆動梁１３０Ｂを構成する１番目から４番目の各水平梁の上にそれぞれ形成された４つの水平駆動源１３１Ｂ１、１３１Ｂ２、１３１Ｂ３、１３１Ｂ４を含む。この場合、水平駆動源１３１Ａ１、１３１Ｂ１、１３１Ａ３、１３１Ｂ３を同波形、水平駆動源１３１Ａ２、１３１Ｂ２、１３１Ａ４、１３１Ｂ４を前者と駆動波形の中央値を基準に上下反転した波形で駆動することで、ミラー１１０及びミラー支持部１２０を水平方向へ揺動駆動できる。
【００２３】
垂直駆動梁１７０Ａ、１７０Ｂの上面には、それぞれ曲線部を含まない矩形単位である垂直梁ごとに垂直駆動源１７１Ａ、１７１Ｂが形成されている。垂直駆動源１７１Ａは、垂直駆動梁１７０Ａの上面に形成された圧電素子であり、圧電薄膜と、圧電薄膜の上に形成された上部電極と、圧電薄膜の下面に形成された下部電極とを含む。垂直駆動源１７１Ｂは、垂直駆動梁１７０Ｂの上面に形成された圧電素子であり、圧電薄膜と、圧電薄膜の上に形成された上部電極と、圧電薄膜の下面に形成された下部電極とを含む。
【００２４】
垂直駆動梁１７０Ａ、１７０Ｂは、垂直梁ごとに隣接している垂直駆動源１７１Ａ、１７１Ｂ同士で、駆動波形の中央値を基準に上下反転した波形の駆動電圧を印加することにより、隣接する垂直梁を上方向に反らせ、各垂直梁の上下動の蓄積を可動枠１６０に伝達する。垂直駆動梁１７０Ａ、１７０Ｂの動作によりミラー１１０及びミラー支持部１２０が水平回転軸ＡＸＨの方向と直交する方向に揺動駆動され、この揺動する方向を垂直方向と呼び、ミラー１１０の光反射面の中心を通る上記の揺動軸を垂直回転軸ＡＸＶという。例えば垂直駆動梁１７０Ａ、１７０Ｂによる垂直駆動には、非共振振動を用いることができる。
【００２５】
例えば、垂直駆動源１７１Ａは、垂直駆動梁１７０Ａを構成する１番目から２番目の各垂直梁の上にそれぞれ形成された２つの垂直駆動源１７１Ａ１、１７１Ａ２を含む。また、垂直駆動源１７１Ｂは、垂直駆動梁１７０Ｂを構成する１番目から２番目の各垂直梁の上にそれぞれ形成された２つの垂直駆動源１７１Ｂ１、１７１Ｂ２を含む。この場合、垂直駆動源１７１Ａ１、１７１Ｂ１を同波形、垂直駆動源１７１Ａ２、１７１Ｂ２を前者と駆動波形の中央値を基準に上下反転した波形で駆動することで、ミラー１１０に接続されている可動枠１６０を垂直方向へ揺動できる。
【００２６】
本実施の形態の光走査装置において、アクチュエータとして機能するＭＥＭＳ構造体は、例えば支持層、埋め込み（ＢＯＸ）層及び活性層を有するＳＯＩ（Silicon on Insulator）基板から形成されている。上記の固定枠１８０と可動枠１６０等は、支持層、ＢＯＸ層及び活性層の３層から形成されている。一方、水平駆動梁１３０Ａ，１３０Ｂ及び垂直駆動梁１７０Ａ、１７０Ｂ等の固定枠１８０と可動枠１６０等を除く部分は活性層の単層によって形成されている。あるいは、ＢＯＸ層と活性層の２層で形成されていてもよい。
【００２７】
本実施の形態の光走査装置において、ミラー支持部１２０のミラー１１０形成面の裏面においてミラー１１０と対向する位置に、リブ１１２が形成されている。ミラー支持部１２０の裏面に形成されているリブ１１２は、ミラー支持部１２０の剛性を高める目的で設けられている。ミラー支持部１２０のミラー１１０の形成面の裏面に形成されているリブ１１２の形状については後述する。
【００２８】
また、本実施の形態の光走査装置において、水平駆動梁１３０Ａ、１３０Ｂを構成する水平梁の一方の面（上面）には上記のように水平駆動源１３１Ａ、１３１Ｂが形成されており、他方の面（裏面）には水平駆動梁１３０Ａ、１３０Ｂを構成する水平梁の中央部である水平回転軸ＡＸＨ上にリブ１３２が形成されている。リブ１３２は、水平梁の長手方向に短く、短手方向に長い形状である。水平駆動梁１３０Ａ、１３０Ｂを構成する水平梁の他方の面（裏面）に形成されているリブ１３２は、例えば、ＭＥＭＳ構造体の製造工程においてダイシングを行う際に、振動や水流によって蛇腹部分が振動し破損することを抑制するために設けられている。
【００２９】
また、本実施の形態の光走査装置においては、垂直駆動梁１７０Ａ、１７０Ｂを構成する垂直梁の一方の面（上面）には上記のように垂直駆動源１７１Ａ、１７１Ｂが形成されている。垂直梁の他方の面（裏面）にはリブ１７２が形成されている。リブ１７２は、例えば垂直梁と折り返し部１７１Ｘ、１７１Ｙの連結部分からの距離が垂直梁の長さの１０〜２０％である位置に形成されている。リブ１７２は、垂直梁の長手方向に短く、短手方向に長い形状である。垂直駆動梁１７０Ａ、１７０Ｂを構成する垂直梁の他方の面（裏面）に形成されているリブ１７２を設けることで、垂直駆動梁１７０Ａ、１７０Ｂの上方向への反りと直交する方向（垂直梁の幅（短手）方向）へ不要に反ってしまうことを防止し、ミラー支持部１２０の厚さ方向の変位量を抑制できる。
【００３０】
ミラー支持部１２０のミラー１１０形成面の裏面に形成されているリブ１１２は、固定枠１８０及び可動枠１６０と同じ高さ（厚さ）を有する。即ち、光走査装置のアクチュエータとして機能するＭＥＭＳ構造体がＳＯＩ基板で形成される場合、活性層から形成されるミラー支持部の裏面において、ＢＯＸ層と支持層からリブ１１２が形成され、リブ１１２周囲の面は、支持層及びＢＯＸ層が除去され活性層が露出している。水平駆動梁１３０Ａ、１３０Ｂを構成する水平梁は活性層から形成され、水平梁の他方の面（裏面）に形成されているリブ１３２は、ＢＯＸ層と支持層から形成される。垂直駆動梁１７０Ａ、１７０Ｂを構成する垂直梁は活性層から形成され、垂直梁の他方の面（裏面）に形成されているリブ１７２は、ＢＯＸ層と支持層から形成される。また、リブはＳＯＩ基板の支持層を利用するほかに、バルクシリコンをエッチングすることで段差を形成することで設けてもよい。
【００３１】
本実施の形態の光走査装置において、ミラー１１０の領域において、ミラー支持部１２０の表面に表面膜が形成されている。表面膜は、例えば、ミラー支持部１２０の表面に形成されたシリコン酸化膜と、シリコン酸化膜の上層に形成された酸化アルミニウム膜と、酸化アルミニウム膜の上層に形成された銀含有膜と、銀含有膜の上層に形成された増反射膜とを含む。銀含有膜の表面は、ミラー１１０となる。表面膜の構成については後述する。
【００３２】
一方で、ミラー１１０を除く領域のミラー支持部１２０の表面において、上記の表面膜が除去されており、ミラー支持部１２０が露出している露出部１２０Ｄを有する。これにより、ミラーの平面度を悪化させる膜応力を発生する表面膜の面積が狭められ、表面膜で発生する膜応力が抑制される。このため、ミラー支持部の表面に形成される表面膜の膜応力によるミラーの平面度の悪化を抑えることができる。
【００３３】
露出部１２０Ｄは、ミラー１１０の領域を形成する膜の少なくともひとつからなる表面膜が、ミラー支持部１２０の表面から除去されて露出された構成とすることができる。
【００３４】
表面膜は、シリコン酸化膜、酸化アルミニウム膜、銀含有膜、増反射膜のいずれかひとつ、または組み合わせによって形成された構成とすることができる。
【００３５】
さらに、本実施の形態の光走査装置において、上記のようにミラー支持部１２０のミラー１１０形成面の裏面にリブ１１２が形成されており、これによってミラー支持部１２０の剛性が高められているので、ミラー支持部の表面に形成される表面膜の膜応力によるミラーの平面度の悪化を抑えることができる。
【００３６】
次に、ミラー支持部１２０のミラー１１０形成面の裏面にリブ１１２の形状について説明する。図４は、本実施の形態に係る光走査装置の光走査部の一例の要部を拡大した下面側の斜視図である。図４に示されるように、ミラー支持部１２０のミラー１１０形成面の裏面に形成されたリブ１１２は、第１の方向に延びる複数の第１リブ１１２ａと、第１の方向とは直交する第２の方向に延びる複数の第２リブ１１２ｂが交差してできる井桁形状である。第１リブ１１２ａの本数は、図面上２本であるが、３本以上であってもよい。第２リブ１１２ｂの本数は、図面上２本であるが、３本以上であってもよい。ミラー支持部１２０のミラー１１０形成面の裏面に形成されたリブ１１２を設けたことによるミラー支持部１２０の共振周波数の低下と慣性モーメントの増大を抑えながら、ミラー支持部１２０の剛性を高めることができる。
【００３７】
図５は本実施の形態に係る光走査装置の光走査部の一例の要部を拡大した上面側の平面図である。図５に示されるように、ミラー支持部１２０のミラー１１０形成面の裏面に、破線で示される位置にリブ１１２が形成されている。ここで、第１リブ１１２ａを延長してできる一点鎖線で示される第１仮想直線１１２ａｉ及び第２リブ１１２ｂを延長してできる一点鎖線で示される第２仮想直線１１２ｂｉとミラー１１０の外周とが●で示される交点ＣＰで交差する時、隣り合う交点ＣＰで決定されるミラー１１０の外周の長さがほぼ等しい構成とすることができる。図５に示されるリブにより、ミラー支持部の重量化による共振周波数の低下と慣性モーメントの増加を抑えながら、ミラー支持部１２０の全体で均等に剛性を高めることができる。ここで、隣り合う交点ＣＰで決定されるミラー１１０の外周の長さについての「ほぼ等しい」とは、上記の共振周波数の低下と慣性モーメントの増加を抑えながら、ミラー支持部１２０の全体で均等に剛性を高めるという効果が、隣り合う交点ＣＰで決定されるミラー１１０の外周の長さが等しい場合と同様に得られる範囲を示す。
【００３８】
図４あるいは図５に示されるリブ１１２は、ミラー１１０の外周に沿った環状の第３リブをさらに有していてもよい。さらに、第１リブ１１２ａと第２リブ１１２ｂは、それぞれミラー１１０の外周に沿った環状の第３リブと交点を有していてもよい。即ち、図５において、第１リブと第２リブがそれぞれ環状の第３リブに交差するまで延伸した形状であってよい。第３リブを設け、さらに第３リブとの交点を有する構成とすることで、ミラー支持部の剛性をさらに高めることができる。
【００３９】
図６（Ａ）は本実施の形態に係る光走査装置の光走査部のミラーの領域におけるミラー支持部の断面図である。ミラー１１０の領域において、ミラー支持部１２０となる活性層１０（ＳＯＩ基板の活性層）の表面に表面膜が形成されている。図６（Ａ）では、表面膜は、例えば、ミラー支持部１２０となる活性層１０の表面に形成されたシリコン酸化膜１１と、シリコン酸化膜１１の上層に形成された酸化アルミニウム膜１２と、酸化アルミニウム膜１２の上層に形成された銀含有膜１３と、銀含有膜１３の上層に形成された増反射膜１４とを含む。ミラー１１０となる膜は銀を含有する銀含有膜１３である。
【００４０】
図６（Ｂ）は本実施の形態に係る光走査装置の光走査部のミラーを除く領域におけるミラー支持部の断面図である。ミラー支持部１２０が露出している露出部１２０Ｄに相当する。ミラー１１０を除く領域のミラー支持部１２０となる活性層１０（ＳＯＩ基板の活性層）の表面において、図６（Ａ）におけるシリコン酸化膜１１、酸化アルミニウム膜１２、銀含有膜１３及び増反射膜１４からなる表面膜が除去されており、ミラー支持部１２０となる活性層１０が露出している。これにより、ミラーの平面度を悪化させる膜応力を発生する表面膜の面積が狭められ、表面膜で発生する膜応力が抑制される。このため、ミラー支持部の表面に形成される表面膜の膜応力によるミラーの平面度の悪化を抑えることができる。
【００４１】
図６（Ｃ）は本実施の形態に係る光走査装置の光走査部の水平駆動梁または垂直駆動梁（以下駆動梁と称する）の断面図であり、水平駆動源または垂直駆動源（以下駆動源と称する）が形成されていない領域に相当する。駆動梁となる活性層１０（ＳＯＩ基板の活性層）の表面に表面膜が形成されている。図６（Ｃ）では、表面膜は、例えば、駆動梁となる活性層１０の表面に形成されたシリコン酸化膜１１と、シリコン酸化膜１１の上層に形成された酸化アルミニウム膜１２と、酸化アルミニウム膜１２の上層に形成された増反射膜１４とを含む。
【００４２】
図６（Ｄ）は本実施の形態に係る光走査装置の光走査部の駆動梁の断面図であり、駆動源が形成されている領域に相当する。駆動梁となる活性層１０（ＳＯＩ基板の活性層）の表面に表面膜が形成されている。図６（Ｄ）では、表面膜は、例えば、駆動梁となる活性層１０の表面に形成されたシリコン酸化膜１１と、シリコン酸化膜１１の上層に形成された圧電素子１５と、圧電素子１５の上層に形成された酸化アルミニウム膜１２と、酸化アルミニウム膜１２の上層に形成された増反射膜１４とを含む。圧電素子１５は、圧電薄膜の上層及び下層に電極を設けてなる素子である。
【００４３】
表面膜は、シリコン酸化膜、酸化アルミニウム膜、銀含有膜、増反射膜のいずれかひとつ、または組み合わせによって形成された構成とすることができる。例えば、図６（Ａ）においてミラー１１０の領域において、ミラー支持部１２０となる活性層１０（ＳＯＩ基板の活性層）の表面に形成されている表面膜は、ミラーとなる銀含有膜の他には、シリコン酸化膜、酸化アルミニウム膜、増反射膜のいずれかひとつ、または組み合わせを有していてもよい。図６（Ｃ）において駆動源が形成されていない領域において、駆動梁となる活性層１０（ＳＯＩ基板の活性層）の表面に形成されている表面膜は、シリコン酸化膜、酸化アルミニウム膜、増反射膜のいずれかひとつ、または組み合わせを有していてもよい。図６（Ｄ）において駆動源が形成されている領域において、駆動梁となる活性層１０（ＳＯＩ基板の活性層）の表面に形成されている表面膜は、駆動源となる圧電素子の他には、シリコン酸化膜、酸化アルミニウム膜、増反射膜のいずれかひとつ、または組み合わせを有していてもよい。但し、図６（Ｂ）に示される露出部に１２０Ｄおいては、上記のシリコン酸化膜、酸化アルミニウム膜、銀含有膜、増反射膜のいずれかひとつ、または組み合わせによって形成された表面膜は全て除去されている。
【００４４】
熱酸化膜であるシリコン酸化膜は圧縮方向の膜応力が働くため、ＳＯＩ基板の支持層側に反らせる要因となる。酸化アルミニウム膜は、引張り方向の膜応力が発生するため、ＳＯＩ基板の活性層側に反らせる要因となる。増反射膜については膜の構成によって反り方向が異なる。シリコン酸化膜、酸化アルミニウム膜及び増反射膜で発生する膜応力の合力によってミラーの反り方向が決定される。
【００４５】
ミラーの領域以外のミラー支持部上にも上記のシリコン酸化膜、酸化アルミニウム膜及び増反射膜等の表面膜が存在する場合、ミラー支持部全体に反りが発生し、その影響によってミラーの部分の反り量は大きくなる。そのため、ミラーの領域以外のミラー支持部から表面膜を除去する。これにより、ミラーの領域での表面膜による反りは残るものの、ミラー支持部全体において表面膜に起因する反りを抑制することができる。
【００４６】
ミラーの領域には表面膜が残っているため、それらによる反りは発生するが、ミラーの裏面にリブを設けることにより反りに対する剛性を上げ、さらにミラーの平面度を向上させることができる。
【００４７】
平面度の向上の観点からいえばミラーの裏面だけでなく、ミラー支持部の裏面全体に支持層を残すことで表面膜の有無に依らずミラー部の反りを抑えることができる。しかしながら、ミラー支持部の全面に支持層を残した場合、ミラー支持部の質量が増加し、共振周波数が低下する。それによりミラーを揺動させた際に不要な共振が発生しやすくなる。また、慣性モーメントが増加するため、振動や衝撃が加わった際にも可動部が大きく動く要因になり破損しやすくなる。そのため、ミラー支持部の裏面におけるリブとする部分は可能な限り少なくして質量を低減させることが望ましい。
【００４８】
ミラーの裏面側におけるリブの形状は、ミラーの端から端までを結んだ複数の直線で構成されることが望ましい。ミラーの端から端まで届いていない途中で途切れた直線パターンのリブを使用した場合、その部分で大きな反りが発生し、その先をリブで抑えたとしてもすでに角度としての反りを持っているため、ミラーの端部では厚さ方向に対して大きな変位量となる。ミラーの端部の変位が最も大きく、また、リブとリブの間は反りが大きくなるため、ミラーの外周部分を等間隔に分割できるようにリブを組むと、部分的に突出する大きい反りが発生しなくなり、全体的な平面度（高低差）を抑制できる。
【００４９】
＜変形例＞
図７（Ａ）は、変形例に係る光走査装置の光走査部の要部を拡大した下面側の斜視図であり、図７（Ｂ）は上面側の平面図である。ミラー支持部１２０のミラー１１０形成面の裏面に、破線で示される位置にリブ１１２Ｘが形成されている。ここで、リブ１１２Ｘは、第１の方向に延びる第１リブ１１２ａと、第１の方向と直交する第２の方向に延びる第２リブ１１２ｂと、ミラーの外周に沿った環状の第３リブ１１２ｃを有し、第１リブ１１２ａと第２リブ１１２ｂは、それぞれ第３リブと交点を有する。図７に示されるリブにより、ミラー支持部の重量化による共振周波数の低下と慣性モーメントの増加を抑えながら、ミラー支持部１２０の全体で均等に剛性を高めることができる。
【００５０】
ミラー支持部１２０のミラー１１０形成面の裏面に形成されるリブは、十字形状パターンあるいは十字形状パターンの組み合わせであってよい。さらに、それらと環状パターンを組み合わせてもよい。十字形状に加えてミラーの外周部に沿った楕円系の環状パターンのリブを加えることによって、最も反りあがる外周部が押さえられることで平面度はより改善される。ただし、ミラーの外周部にリブが設けられた構成では、ミラーの揺動に対する慣性モーメントが大きくなり、共振周波数が低下し、不要な共振が発生しやすくなる場合がある。
【００５１】
＜実施例１＞
図８は実施例１に係る光走査装置の駆動時のミラーの変形を説明する図である。光走査装置の駆動時のミラーの変形をシミュレーションにより算出した。図面上、リブ形成面を下側とし、ミラー形成面を上側とし、グラデーションが濃いほど（―）の符号で示す位置で下側への変形量が大きくなり、グラデーションが薄いほど（＋）の符号で示す位置で上方への変形量が大きくなっていることを示す。
【００５２】
図８（Ａ）は図７に示される変形例に対応する。リブ１１２Ｘは、第１の方向に延びる第１リブ１１２ａと、第１の方向と直交する第２の方向に延びる第２リブ１１２ｂと、ミラーの外周に沿った環状の第３リブ１１２ｃを有し、第１リブ１１２ａと第２リブ１１２ｂは、それぞれ第３リブと交点を有するパターンである。第１リブと第２リブのパターンに沿って十字の形状に下側に抑えられており、さらにミラーの外周に沿って第３リブにより変形が抑えられている。図面上、（−）の箇所と（＋）の箇所でグラデーション濃度の差が小さく、全体として変形が抑制され、ミラーの平面度が高められている。但し、環状の第３リブが設けられているので、慣性モーメントの増大と共振周波数の低下に注意する必要がある。
【００５３】
図８（Ｂ）は図４及び図５に示される実施の形態に対応する。リブ１１２は、第１の方向に延びる２本の第１リブ１１２ａと、第１の方向と直交する第２の方向に延びる２本の第２リブ１１２ｂとを有する、井桁形状のパターンである。第１リブと第２リブのパターンに沿って井桁の形状に下側に抑えられており、さらにミラーの外周は上方に変形が発生する。図８（Ａ）の場合よりもグラデーションの濃度差が大きい箇所はあるが、井桁形状のリブによりミラー全体の変形が抑制され、ミラーの平面度は高められている。
【００５４】
＜実施例２＞
図９は実施例２に係る光走査装置の駆動時のミラーの変形を説明する図である。光走査装置の駆動時のミラーの変形をシミュレーションにより算出した。ミラー１１０、ミラー支持部１２０及び連結梁１２１Ａ、１２１Ｂに相当する部分に対応する。図面上、リブ形成面を下側とし、ミラー形成面を上側とし、グラデーションが濃いほど（―）の符号で示す位置で下側への変形量が大きくなり、グラデーションが薄いほど（＋）の符号で示す位置で上方への変形量が大きくなっていることを示す。
【００５５】
図９（Ａ）は比較例に対応し、図４及び図５に示される光走査装置において、ミラー支持部の裏面にリブが形成されておらず、ミラーの領域以外におけるミラー支持部の表面膜の除去がされていない場合に相当する。（−）の箇所と（＋）の箇所でグラデーション濃度の差が大きく、全体として大きく変形している。
【００５６】
図９（Ｂ）は参考例に対応し、図４及び図５に示される光走査装置において、ミラー支持部の裏面にリブが形成されておらず、ミラーの領域以外におけるミラー支持部の表面膜の除去がされている場合に相当する。（−）の箇所と（＋）の箇所でグラデーション濃度の差が図９（Ａ）より抑えられており、全体の変形は抑制されている。
【００５７】
図９（Ｃ）は、図４及び図５に示される光走査装置に対応し、ミラー支持部の裏面にリブが形成されており、ミラーの領域以外におけるミラー支持部の表面膜の除去がされている場合に相当する。（−）の箇所と（＋）の箇所でグラデーション濃度の差が図９（Ｂ）よりさらに抑えられており、全体の変形は大きく抑制されている。
【００５８】
上記のように、本実施の形態に係る光走査装置の光走査部によれば、ミラーの領域以外のミラー支持部から表面膜を除去することによって、ミラー支持部全体で起因する反りを抑制することができる。さらに、ミラーの裏面にリブを設けることにより反りに対する剛性を上げ、さらに平面度を向上させることができる。
【００５９】
上記の実施の形態では、水平駆動梁及び垂直駆動梁はともに全体としてジグザグ状の蛇腹構造を有し、非共振駆動で駆動される。トーションバーを用いない非共振駆動の光走査装置の場合では、ミラー支持部の表面に形成された表面膜の膜応力による反りによってミラーが変形してしまうが、本実施の形態によれば、駆動時のミラーの変形が抑制され、平面度が向上されている。
【００６０】
以上、好ましい実施の形態について説明したが、上述した実施の形態に制限されることはなく、特許請求の範囲に記載された範囲を逸脱することなく、上述した実施の形態に種々の変形及び置換を加えることができる。例えば、上記の実施の形態では、ミラーを有する光走査装置にアクチュエータを適用した形態を説明しているが、アクチュエータの駆動対象物はミラーでなくてもよく、本発明はミラーを持たないアクチュエータにも適用することが可能である。また、本発明の光走査装置は、眼底検査装置の光干渉断層計に好ましく適用することができる。眼底検査装置の光干渉断層計では、プロジェクタのように一方の軸が高速動作するため共振駆動を必要とされず、振角量を自由に設定して調整して光走査ができることを求められているため、本実施例のような二軸とも非共振駆動の構成が適している。また、プロジェクション装置にも適用可能である。
【符号の説明】
【００６１】
１０  活性層
１１  シリコン酸化膜
１２  酸化アルミニウム膜
１３  銀含有膜
１４  増反射膜
１５  圧電素子
１００  光走査部
１１０  ミラー
１１２、１１２Ｘ  リブ
１１２ａ  第１リブ
１１２ａｉ  第１仮想直線
１１２ｂ  第２リブ
１１２ｂｉ  第２仮想直線
１１２ｃ  第３リブ
１２０  ミラー支持部
１２１Ａ、１２１Ｂ  連結梁
１３０Ａ、１３０Ｂ  水平駆動梁
１３１Ａ、１３１Ｂ  水平駆動源
１３１Ａ１、１３１Ａ２、１３１Ａ３、１３１Ａ４  水平駆動源
１３１Ｂ１、１３１Ｂ２、１３１Ｂ３、１３１Ｂ４  水平駆動源
１３１Ｘ１、１３１Ｘ２、１３１Ｘ３、１３１Ｘ４  折り返し部
１３１Ｙ１、１３１Ｙ２、１３１Ｙ３、１３１Ｙ４  折り返し部
１３２  リブ
１６０  可動枠
１７０Ａ、１７０Ｂ  垂直駆動梁
１７１Ａ、１７１Ｂ  垂直駆動源
１７１Ａ１、１７１Ａ２  垂直駆動源
１７１Ｂ１、１７１Ｂ２  垂直駆動源
１７１Ｘ、１７１Ｙ  折り返し部
１７２  リブ
１８０  固定枠
【図１】
2019159134.tif 000003
【図２】
2019159134.tif 000004
【図３】
2019159134.tif 000005
【図４】
2019159134.tif 000006
【図５】
2019159134.tif 000007
【図６】
2019159134.tif 000008
【図７】
2019159134.tif 000009
【図８】
2019159134.tif 000010
【図９】
2019159134.tif 000011